(57)【要約】【解決手段】リセプタクル組立体は、前端（１０２）及び後端（１０４）を有するハウジング（１０８）を具備する。前端はプラグを受容するよう構成され、後端は電線接続コンタクト（１１３）を受容するよう構成されている。回路基板（１４８）は、複数のコンタクト孔（１８８，１９０）を有し、ハウジング内に保持される。複数のアレーコンタクト（１２４，１２６，１２８，１３０，１３２，１３４，１３６，１３８）は、ハウジング内でコンタクトアレー（１０６）に配列されている。各アレーコンタクトは、本体部（２１８）及びテール部（２１６）を有する。本体部は回路基板にほぼ直交して延び、テール部は、回路基板と平行に延びる第１テール副部分（２２８）を形成する第１曲げ部と、回路基板に直交して延びる第２テール副部分（２２２）を形成する第２曲げ部を有する。各アレーコンタクトの第２テール副部分は、回路基板の１個のコンタクト孔に受容される。
2009529764.tif 000002
【特許請求の範囲】
【請求項１】
前端（１０２）及び後端（１０４）を有するハウジング（１０８）であって、前記前端はプラグを受容するよう構成され、前記後端は電線接続コンタクト（１１３）を受容するよう構成されるハウジングと、複数のコンタクト孔（１８８，１９０，１９２，１９４，１９６，１９８，２００，２０２）を有すると共に前記ハウジング内に保持される回路基板（１４８）とを具備するリセプタクル組立体において、
複数のアレーコンタクト（１２４，１２６，１２８，１３０，１３２，１３４，１３６，１３８）が、前記ハウジング内でコンタクトアレー（１０６）に配列され、
前記複数のアレーコンタクトの各々は、本体部（２１８）及びコンタクトテール部（２１６）を有し、
前記複数のアレーコンタクトの各々の前記本体部は、前記回路基板にほぼ直交して延びており、
前記複数のアレーコンタクトの各々の前記コンタクトテール部は、前記回路基板と平行に延びる第１テール副部分（２２８）を形成する第１曲げ部（２２４）と、前記回路基板に直交して延びる第２テール副部分（２２２）を形成する第２曲げ部（２２６）とを有し、
前記複数のアレーコンタクトの各々の前記第２テール副部分は、前記回路基板の前記複数のコンタクト孔のうちの１個に受容されることを特徴とするリセプタクル組立体。
【請求項２】
前記コンタクトアレーは、第１差動対（１４０）を形成する第１及び第２のアレーコンタクト（１２４，１２６）と、第２差動対（１４２）を形成する第３及び第６のアレーコンタクト（１２８，１３４）と、第３差動対（１４４）を形成する第４及び第５のアレーコンタクト（１３０，１３２）と、第４差動対（１４６）を形成する第７及び第８のアレーコンタクト（１３６，１３８）とをさらに具備し、
前記回路基板は、前記電線接続コンタクトを受容するための電線接続コンタクト孔（１７０，１７２，１７４，１７６，１７８，１８０，１８２，１８４）をさらに具備し、
前記第２差動対に関連して前記電線接続コンタクトを受容するよう構成された前記電線接続コンタクト孔（１７０，１７２）は、前記回路基板の上端（１６０）及び第２側（１８７）近傍に配置され、
前記第３差動対に関連して前記電線接続コンタクトを受容するよう構成された前記電線接続コンタクト孔（１７４，１７６）は、前記回路基板の下端（１６２）及び第１側（１８６）近傍に配置されていることを特徴とする請求項１記載のリセプタクル組立体。
【請求項３】
前記複数のアレーコンタクトは、第１サブセット及び第２サブセットのアレーコンタクトをさらに具備し、
前記第１サブセット及び前記第２サブセットのアレーコンタクトの前記第１テール副部分は、前記第１曲げ部からそれぞれ第１距離（Ｄ１）及び第２距離（Ｄ２）延びており、
前記第１距離及び第２距離は互いに異なっていることを特徴とする請求項１記載のリセプタクル組立体。
【請求項４】
前記複数のアレーコンタクトは、第１サブセット、第２サブセット、第３サブセット及び第４サブセットのアレーコンタクトをさらに具備し、
前記第１及び第２のサブセットの前記第１曲げ部、並びに前記第３及び第４のサブセットの前記第１曲げ部は、前記第１テール副部分まで第１方向（Ａ）及び第２方向（Ｂ）にそれぞれ延びるよう形成されており、
前記第１方向及び第２方向は互いに逆向きであり、前記回路基板と平行であることを特徴とする請求項１記載のリセプタクル組立体。
【請求項５】
前記複数のアレーコンタクトは、第１サブセット、第２サブセット、第３サブセット及び第４サブセットのアレーコンタクトをさらに具備し、
前記第１及び第２のサブセットのアレーコンタクトの前記第１テール副部分は、第１方向（Ａ）にそれぞれ距離（Ｄ１，Ｄ２）延びており、
前記第３及び第４のサブセットのアレーコンタクトの前記第１テール副部分は、第２方向（Ｂ）にそれぞれ距離（Ｄ３，Ｄ４）延びており、
前記第１方向及び第２方向は互いに逆向きであり、
前記距離（Ｄ１，Ｄ４）は同じであり、
前記距離（Ｄ２，Ｄ３）は同じであることを特徴とする請求項１記載のリセプタクル組立体。
【請求項６】
前記コンタクトアレーは、第３差動対を形成する第４及び第５のアレーコンタクト（１３０，１３２）、並びに第２差動対を形成する第３及び第６のアレーコンタクト（１２８，１３４）をさらに具備し、
前記第４及び第５のアレーコンタクトは、互いに隣接して配置され、
前記第３及び第６のアレーコンタクトは、前記コンタクトアレーの前記本体部内で前記第４及び第５のアレーコンタクトの各側に配置され、
前記複数のコンタクト孔の各々は、さらに中心（２６２）を具備し、
前記複数のコンタクト孔は、第３アレーコンタクト（１２８）、第４アレーコンタクト（１３０）、第５アレーコンタクト（１３２）及び第６アレーコンタクト（１３４）をそれぞれ受容する第３コンタクト孔（１９２）、第４コンタクト孔（１９４）、第５コンタクト孔（１９６）及び第６コンタクト孔（１９８）をさらに具備し、
前記第３及び第４のコンタクト孔の前記中心は、少なくとも3.05mm（0.120インチ）分離しており、
前記第５及び第６のコンタクト孔の前記中心は、少なくとも3.05mm（0.120インチ）分離していることを特徴とする請求項１記載のリセプタクル組立体。
【請求項７】
前記コンタクトアレーは、第１アレーコンタクト（１２４）、第２アレーコンタクト（１２６）、第３アレーコンタクト（１２８）、第４アレーコンタクト（１３０）、第５アレーコンタクト（１３２）、第６アレーコンタクト（１３４）、第７アレーコンタクト（１３６）及び第８アレーコンタクト（１３８）をさらに具備し、
前記第１及び第２のアレーコンタクトは、第１差動対を形成し、
前記第３及び第６のアレーコンタクトは、第２差動対を形成し、
前記第４及び第５のアレーコンタクトは、第３差動対を形成し、
前記第７及び第８のアレーコンタクトは、第４差動対を形成し、
前記第１及び第２のアレーコンタクトは、互いに隣接して配置され、
前記第３及び第６のアレーコンタクトは、前記コンタクトアレーの前記本体部内で前記第４及び第５のアレーコンタクトの各側に配置され、
前記第１及び第２のアレーコンタクトは、前記第３アレーコンタクトに隣接して配置され、
前記第７及び第８のアレーコンタクトは、互いに隣接して配置されると共に前記第６アレーコンタクトに隣接して配置され、
前記複数のコンタクト孔の各々は、さらに中心（２６２）を具備し、
前記複数のコンタクト孔は、前記第２アレーコンタクト、前記第３アレーコンタクト、前記第６アレーコンタクト及び前記第７アレーコンタクトをそれぞれ受容する第２コンタクト孔（１９０）、第３コンタクト孔（１９２）、第６コンタクト孔（１９８）及び第７コンタクト孔（２００）をさらに具備し、
前記第２及び第３のコンタクト孔の前記中心は、少なくとも3.05mm（0.120インチ）分離しており、
前記第６及び第７のコンタクト孔の前記中心は、少なくとも3.05mm（0.120インチ）分離していることを特徴とする請求項１記載のリセプタクル組立体。
【請求項８】
前記コンタクトアレーは、第３差動対を形成する第４及び第５のアレーコンタクト（１３０，１３２）、並びに第２差動対を形成する第３及び第６のアレーコンタクト（１２８，１３４）をさらに具備し、
前記第４及び第５のアレーコンタクトは、互いに隣接して配置され、
前記第３及び第６のアレーコンタクトは、前記コンタクトアレーの前記本体部内で前記第４及び第５のアレーコンタクトの各側に配置され、
前記複数のコンタクト孔の各々は、さらに中心（２６２）を具備し、
前記複数のコンタクト孔は、第３アレーコンタクト（１２８）、第４アレーコンタクト（１３０）、第５アレーコンタクト（１３２）及び第６アレーコンタクト（１３４）をそれぞれ受容する第３コンタクト孔（１９２）、第４コンタクト孔（１９４）、第５コンタクト孔（１９６）及び第６コンタクト孔（１９８）をさらに具備し、
前記第３及び第５のコンタクト孔の前記中心は、0.51〜2.54mm（0.02〜0.100インチ）の距離で分離しており、
前記第４及び第６のコンタクト孔の前記中心は、0.51〜2.54mm（0.02〜0.100インチ）の距離で分離していることを特徴とする請求項１記載のリセプタクル組立体。
【請求項９】
前記コンタクトアレーは、第１アレーコンタクト（１２４）、第２アレーコンタクト（１２６）、第３アレーコンタクト（１２８）、第４アレーコンタクト（１３０）、第５アレーコンタクト（１３２）、第６アレーコンタクト（１３４）、第７アレーコンタクト（１３６）及び第８アレーコンタクト（１３８）をさらに具備し、
前記第１及び第２のアレーコンタクトは、第１差動対を形成し、
前記第３及び第６のアレーコンタクトは、第２差動対を形成し、
前記第４及び第５のアレーコンタクトは、第３差動対を形成し、
前記第７及び第８のアレーコンタクトは、第４差動対を形成し、
前記第１及び第２のアレーコンタクトは、互いに隣接して配置され、
前記第３及び第６のアレーコンタクトは、前記コンタクトアレーの前記本体部内で前記第４及び第５のアレーコンタクトの各側に配置され、
前記第１及び第２のアレーコンタクトは、前記第３アレーコンタクトに隣接して配置され、
前記第７及び第８のアレーコンタクトは、互いに隣接して配置されると共に前記第６アレーコンタクトに隣接して配置され、
前記複数のコンタクト孔の各々は、さらに中心（２６２）を具備し、
前記複数のコンタクト孔は、前記第１アレーコンタクト、前記第３アレーコンタクト、前記第６アレーコンタクト及び前記第８アレーコンタクトをそれぞれ受容する第１コンタクト孔（１８８）、第３コンタクト孔（１９２）、第６コンタクト孔（１９８）及び第８コンタクト孔（２０２）をさらに具備し、
前記第１及び第３のコンタクト孔の前記中心は、0.51〜2.54mm（0.02〜0.100インチ）の距離で分離しており、
前記第６及び第８のコンタクト孔の前記中心は、0.51〜2.54mm（0.02〜0.100インチ）の距離で分離していることを特徴とする請求項１記載のリセプタクル組立体。
【請求項１０】
前記コンタクトアレーは、第１アレーコンタクト（１２４）、第２アレーコンタクト（１２６）、第３アレーコンタクト（１２８）、第４アレーコンタクト（１３０）、第５アレーコンタクト（１３２）、第６アレーコンタクト（１３４）、第７アレーコンタクト（１３６）及び第８アレーコンタクト（１３８）をさらに具備し、
前記第１及び第２のアレーコンタクトは、第１差動対を形成し、
前記第３及び第６のアレーコンタクトは、第２差動対を形成し、
前記第４及び第５のアレーコンタクトは、第３差動対を形成し、
前記第７及び第８のアレーコンタクトは、第４差動対を形成し、
前記第１及び第２のアレーコンタクトは、互いに隣接して配置され、
前記第３及び第６のアレーコンタクトは、前記コンタクトアレーの前記本体部内で前記第４及び第５のアレーコンタクトの各側に配置され、
前記第１及び第２のアレーコンタクトは、前記第３アレーコンタクトに隣接して配置され、
前記第７及び第８のアレーコンタクトは、互いに隣接して配置されると共に前記第６アレーコンタクトに隣接して配置され、
前記複数のコンタクト孔の各々は、さらに中心（２６２）を具備し、
前記複数のコンタクト孔は、前記第１アレーコンタクト、前記第２アレーコンタクト、前記第３アレーコンタクト、前記第４アレーコンタクト、前記第５アレーコンタクト、前記第６アレーコンタクト、前記第７アレーコンタクト及び前記第８アレーコンタクトをそれぞれ受容する第１コンタクト孔（１８８）、第２コンタクト孔（１９０）、第３コンタクト孔（１９２）、第４コンタクト孔（１９４）、第５コンタクト孔（１９６）、第６コンタクト孔（１９８）、第７コンタクト孔（２００）及び第８コンタクト孔（２０２）をさらに具備し、
前記第１、第３及び第５のコンタクト孔は、三角形のレイアウトに配置された第１グループ（２３０）を形成し、
前記第４、第６及び第８のコンタクト孔は、三角形のレイアウトに配置された第２グループ（２３４）を形成し、
前記第１及び第３のコンタクト孔並びに前記第３及び第５のコンタクト孔は、0.51〜2.54mm（0.02〜0.100インチ）の距離で分離しており、
前記第４及び第６のコンタクト孔並びに前記第６及び第８のコンタクト孔は、0.51〜2.54mm（0.02〜0.100インチ）の距離で分離していることを特徴とする請求項１記載のリセプタクル組立体。
【請求項１１】
前記コンタクト孔は、前記回路基板の中央部（１６４）に配置されていることを特徴とする請求項１記載のリセプタクル組立体。
【発明の詳細な説明】
【技術分野】
【０００１】
本発明は、電気コネクタに関し、特に、クロストークを低減するためのアレーのレイアウトを有するモジュラジャックすなわちリセプタクルに関する。
【背景技術】
【０００２】
通信業界において信号を伝送するために使用される等の種々の電子システムには、差動対に配置された電線を有するコネクタ組立体が含まれる。差動対の一方の電線は正の信号を伝送し、他方の電線は、同じ振幅で逆極性を有する負の信号を伝送する。
【０００３】
プラグ及びアウトレットジャックを有するＲＪ−４５電気コネクタは、差動対の電気信号を伝送するために使用されるコネクタの一例である。ＲＪ−４５プラグは４対の差動電線を有する。プラグは、工業規格で決定された電線の配置のため、高いレベルのノイズを有する。
【０００４】
複数の差動対は、コネクタ内で互いに近接して配置され、信号伝送の品質を劣化させる不要な電磁（ＥＭ）信号結合すなわちクロストークを発生する。経験している別の問題は、信号がプラグ及びリセプタクル組立体を通って伝送される際のインピーダンス不整合である。インピーダンス不整合は、電気信号の一部を反射して信号源に戻してしまう。インピーダンス不整合により生ずる反射量は、リターンロスとして定量化することができる。
【発明の開示】
【発明が解決しようとする課題】
【０００５】
さらに、コネクタ組立体は、より高い周波数及びより広いバンド幅にわたってデータを伝送するのに使用されている。問題は、周波数が増加すると、システムが、ＥＭ信号結合、リターンロス及びインピーダンス不整合によるより大きな信号劣化を経験することである。
【課題を解決するための手段】
【０００６】
上述の問題に対する解決手段は、クロストークを打ち消し、リターンロスを低減し、電気的性能を改善するよう最適化されたリセプタクル組立体であり、本明細書に開示されるように、前端及び後端を有するハウジングを具備する。前端はプラグを受容するよう構成され、後端は電線接続コンタクトを受容するよう構成されている。回路基板は、複数のコンタクト孔を有すると共にハウジング内に保持される。複数のアレーコンタクトは、ハウジング内でコンタクトアレーに配列されている。複数のアレーコンタクトの各々は、本体部及びテール部を有する。本体部は、回路基板にほぼ直交して延びている。テール部は、回路基板と平行に延びる第１テール副部分を形成する第１曲げ部と、回路基板に直交して延びる第２テール副部分を形成する第２曲げ部とを有する。複数のアレーコンタクトの各々の第２テール副部分は、回路基板の複数のコンタクト孔のうちの１個に受容される。
【発明を実施するための最良の形態】
【０００７】
以下、添付図面を参照して、本発明をより詳細に説明する。
【０００８】
上述の本発明の概略は、以下の本発明の実施形態の詳細な説明と共に、添付図面と結合させて読むとより理解されよう。本発明は、添付図面に示された構造及び手段に限定されないことを理解されたい。
【０００９】
図１は、リセプタクル組立体１００を示す。リセプタクル組立体１００は、前端１０２及び後端１１４を有する。ハウジング１０８は、キャビティ１１０内にコンタクトアレー１０６を部分的に取り囲む。図１の例において、キャビティ１１０は、前端１０２を通って挿入されるＲＪ−４５プラグ（図示せず）を受容する。ＲＪ−４５プラグは、コンタクトアレー１０６と電気接続するコンタクトを有する。回路基板１４８（図２参照）は、ハウジングの後端１０４近傍でハウジング１０８内に実装される。電線コネクタハウジング１１２の前端１１６は、ハウジングの後端１０４と結合する。電線コネクタハウジング１１２は、後端１１４を通ってケーブル（図示せず）から電線を受容する。ケーブルは、電線コンタクトハウジング１１２内に保持された電線接続コンタクト１１３と電気接続する。
【００１０】
図２は、ハウジング１０８が除去された状態の図１のリセプタクル組立体１００を示す。電線接続コンタクト１１３は、回路基板１４８の電線接続コンタクト孔（図３及び図４に図示）により受容され、回路基板１４８上の導電材料との接触を構築する。
【００１１】
本例では、電線接続コンタクト１１３は圧接コンタクト（ＩＤＣ）であるが、他の接続手段を使用することもできる。ケーブル内の電線は、ＩＤＣの圧接端で接続する。ＩＤＣの反対側の端部は、電線接続コンタクト孔内で回路基板１４８に接続する。電線接続コンタクト１１３は、回路基板１４８で、アイニードルコンタクト、コンプライアントピン、半田接続、圧入接続、又は当業者には公知の他の手段で接続する。
【００１２】
図３は、図１のリセプタクル組立体１００内の副組立体１２０を前側から見た斜視図である。副組立体１２０は、プラスチック製又は他の非導電性材料製の基部１２２を有する。基部１２２は、ハウジング１０８の前端１０２（図１参照）を向くと共に前端１０２近傍に位置する先縁１０３と、ハウジングの後端１０４を向くと共に後端１０４近傍に位置する後縁１０５とを有する。任意であるが、基部１２２は、コンタクトアレー１０６が載置される基板表面を有する。或いは、信号の調整をするために、基部１２２の代わりに回路基板（図示せず）を使用してもよい。
【００１３】
後縁１０５は、回路基板１４８の正面１５０の孔１０９に受容されるよう構成されたポスト１０７を有する。ポスト１０７は、回路基板１４８の正面１５０に対して後縁１０５を所望の整列及び方向に配置し且つ保持するために、整列機能及びロック機能の一方又は両方をなしてもよい。基部１２２には、先縁１０３まで延びると共に互いに所望の態様で離間する一連の平行な切欠１２３が形成されている。基部１２２はまた、後縁１０５近傍に位置する架橋部１２５を有する。この架橋部１２５は一連のポスト１２７を有する。ポスト１２７は、架橋部１２５から上方に延びると共に、切欠１２３と整合した間隙１２９により互いに離間する。コンタクトアレー１０６のアレーコンタクトは、ポスト１２７及び間隙１２９との干渉部を有する。
【００１４】
コンタクトアレー１０６は、互いに平行に配列されると共に後縁１０３近傍の平行な切欠１２３内から基部１２２の後縁１０５まで延びるよう配向されたアレーコンタクト１２４，１２６，１２８，１３０，１３２，１３４，１３６，１３８を有する。コンタクトアレー１０６には８本のコンタクトが示されている。しかし、８本より多いか少ない数のコンタクトを使用してもよい。アレーコンタクト１２４，１２６は第１の差動対１４０を形成し、アレーコンタクト１２８，１３４は第２の差動対１４２を形成し、アレーコンタクト１３０，１３２は第３の差動対１４４を形成し、アレーコンタクト１３６，１３８は第４の差動対１４６を形成する。第１の差動対１４０のアレーコンタクト１２４及び１２６、第３の差動対１４４のアレーコンタクト１３０及び１３２、及び第４の差動対１４６のアレーコンタクト１３６及び１３８はそれぞれ、互いに直に隣接して配置される。しかし、第２の差動対１４２のアレーコンタクト１２８及び１３４は、互いに直に隣接して配置されていない。代わりに、第２の差動対１４２のアレーコンタクト１２８及び１３４は、第３の差動対１４４が介在することにより、互いに分離している。アレーコンタクト１２８は第１及び第３の差動対１４０，１４４のそれぞれアレーコンタクト１２６，１３０に隣接するのに対し、アレーコンタクト１３４は第３及び第４の差動対１４４，１４６のそれぞれアレーコンタクト１３２，１３６に隣接する。アレーコンタクト１２４，１２６，１２８，１３０，１３２，１３４，１３６，１３８は、基部１２２に沿って共平面配置で延びており、コンタクトエントリーパターン１５３（図４参照）を画定するよう回路基板１４８に入るコンタクトテール部２１６（図５参照）を有する。コンタクトテール部２１６は、回路基板１４８の孔に半田付けされるか、コンプライアントピン又は他の当業界では公知の相互接続部を使用して孔に相互接続してもよい。
【００１５】
回路基板１４８、基部１２２及びリセプタクル組立体１００の寸法は、顧客の仕様に依存して変更してもよいことを理解されたい。例えば、リセプタクル組立体１００を可能な限り小型化にすることが望ましい場合がある。また、送信信号を修正するために、回路基板１４８に更なる強化を加えてもよい。
【００１６】
図４は、図２の回路基板１４８の正面１５０を示す図である。回路基板１４８は上縁１６０及び下縁１６２を有する。コンタクト孔１８８，１９０，１９２，１９４，１９６，１９８，２００，２０２は、特定のアレーレイアウトに関連するコンタクトエントリーパターン１５３を形成する。コンタクトエントリーパターン１５３は回路基板１４８の中央部１６４に示されているが、コンタクトエントリーパターン１５３を上側、下側、左側又は右側にずらす等して中央部ではない位置に配置させてもよい。コンタクト孔１８８，１９０，１９２，１９４，１９６，１９８，２００，２０２は、アレーコンタクト１２４，１２６，１２８，１３０，１３２，１３４，１３６，１３８のコンタクトテール部２１６をそれぞれ受容する。電線接続コンタクト孔１７０，１７２，１７４，１７６，１７８，１８０，１８２，１８４は、電線接続コンタクト１１３を受容するために、回路基板１４８の上部１６６及び下部１６８に位置する電線接続コンタクトパターン１５４を形成する。
【００１７】
コンタクトアレー１０６は、その構成を設けつつ、クロストークによるノイズを最小にする等により、信号の完全性を最適化するようコンタクトエントリーパターン１５３で回路基板１４８に入る。図３に示されるように、アレーコンタクト１２４，１２６及びアレーコンタクト１３６，１３８は、互いにクロスオーバーする。従って、アレーコンタクト１２６は外縁１８６に最も近い位置で回路基板１４８に入り、アレーコンタクト１３６は外縁１８７に最も近い位置で回路基板１４８に入る。
【００１８】
トレース（図示せず）は、中央部１６４で電線接続コンタクト孔１７０，１７２，１７４，１７６，１７８，１８０，１８２，１８４の対応する１個が上部１６６又は下部１６８のいずれかに位置する状態で、コンタクト孔１８８，１９０，１９２，１９４，１９６，１９８，２００，２０２の各々に電気接続する。各孔は、典型的な一相互接続パターンを示す図４の番号（コンタクト又はピンに対応）を有する。コンタクト孔１８８は電線接続コンタクト孔１７８に電気的に結合されるのに対し、コンタクト孔１９０は電線接続コンタクト孔１８０に電気的に結合される。コンタクト孔１９２，１９４，１９６，１９８，２００，２０２は、電線接続コンタクト孔１７０，１７４，１７６，１７２，１８２，１８４にそれぞれ電気的に結合される。他の相互接続パターンを使用することもできる。
【００１９】
図５は、本発明の一実施形態に従ったコンタクトアレー１０６を示す図である。同じ参照番号が使用される。第１部分２１０、第２部分２１２及び第３部分２１４は共に、回路基板１４８に対してほぼ直交して保持された本体部２１８を形成する。第１部分２１０において、アレーコンタクト１２４，１２６，１２８，１３０，１３２，１３４，１３６，１３８は、基部１２２（図３参照）と平行に延びると共に、回路基板１４８に直交して延びる。第２部分２１２において、アレーコンタクトの対１２４と１２６、１３０と１３２、及び１３６と１３８は互いにクロスオーバーするのに対し、アレーコンタクト１２８及び１３４は基部１２２と平行な状態が持続する。クロスオーバーパターンは、プラグに発生するクロストークの一部を補償する。第３部分２１４において、アレーコンタクト１２４，１２６，１２８，１３０，１３２，１３４，１３６，１３８は、基部１２２と平行に延びる。
【００２０】
各アレーコンタクト１２４，１２６，１２８，１３０，１３２，１３４，１３６，１３８は、コンタクトテール部２１６を有する。各コンタクトテール部２１６は曲げられて約90°の第１曲げ部２２４を形成し、アレーコンタクト１２４，１２８，１３２，１３６は矢印Ａで示される上方へ曲げられ、アレーコンタクト１２６，１３０，１３４，１３８は矢印Ｂで示される下方へ曲げられる。第１テール副部分２２８は、２距離のうちの一方について回路基板１４８と平行に上方又は下方に延びており、次に、約90°の第２曲げ部２２６が形成される。第２テール副部分２２２は、回路基板１４８に対して直交して延びると共に回路基板１４８のコンタクト孔１８８，１９０，１９２，１９４，１９６，１９８，２００，２０２のいずれか一つを貫通し、以下で説明するコンタクトエントリーパターン１５３（図４参照）を形成する。
【００２１】
図６は、本発明の一実施形態に従ったコンタクトアレー１０６の側面図である。第１部分２１０、第２部分２１２、第３部分２１４及びコンタクトテール部２１６は、同様の参照番号を有して示される。平面２２０は、回路基板１４８に直交する本体部２１８の平面にほぼ平行な平面を示す。第２テール副部分２２２は、平面２２０から距離Ｄ１，Ｄ２，Ｄ３，Ｄ４の位置に形成された平行な４列に延びている。距離Ｄ１，Ｄ４は距離Ｄ２，Ｄ３より大きい。また、距離Ｄ１，Ｄ４は互いに等しく、距離Ｄ２，Ｄ３は互いに等しい。
【００２２】
図７は、第２テール副部分２２２のコンタクトエントリーパターン１５３をよりよく示すために図３の副組立体１２０を後側から見た斜視図である。回路基板１４８の後面１５２が図示されている。第２テール副部分２２２は、正面１５０のコンタクト孔１８８，１９０，１９２，１９４，１９６，１９８，２００，２０２に入り、回路基板１４８の後面１５２を貫通すると共に後面１５２を超えて延びてもよい。第２テール副部分２２２は、回路基板１４８に半田付けされてもよいし、コンプライアントピン、アイニードル又は当業界で公知の他のタイプの接続部であってもよい。
【００２３】
コンタクト孔１８８，１９０，１９２，１９４，１９６，１９８，２００，２０２の互いに対する空間的関係及び電線接続コンタクト孔１７０，１７２，１７４，１７６，１７８，１８０，１８２，１８４の互いに対する空間的関係は、所望の電気性能を達成するように決定される。例えば、コンタクト孔１８８，１９０，１９２，１９４，１９６，１９８，２００，２０２及び電線接続コンタクト孔１７０，１７２，１７４，１７６，１７８，１８０，１８２，１８４は、所定のコンタクトを結合し分離するためのパターンを形成してもよい。
【００２４】
電線接続コンタクトパターン１５４を最初に説明し、コンタクトエントリーパターン１５３を以下にさらに説明する。電線接続ハウジング１１２の電線接続コンタクト１１３に接続されるケーブルにおいて、各電線対の２本の電線は一緒にツイストされる。ＲＪ−４５の用途において、電線は、第１差動対１４０、第２差動対１４２、第３差動対１４４、第４差動対１４６にそれぞれ関連する電線対１／２、３／６、４／５、７／８として対をなす。各電線対は、回路基板１４８の異なるコーナー（隅）近傍に位置する電線接続コンタクト孔に受容される。具体的には、電線対１／２は第１コーナー近傍の電線接続コンタクト孔１７８，１８０に受容され、電線対３／６は第２コーナー近傍の電線接続コンタクト孔１７０，１７２に受容され、電線対７／８は第３コーナー近傍の電線接続コンタクト孔１８２，１８４に受容され、電線対４／５は第４コーナー近傍の電線接続コンタクト孔１７４，１７６に受容される。
【００２５】
電線接続コンタクト孔１７０，１７２，１７４，１７６，１７８，１８０，１８２，１８４は、リセプタクル組立体１００内の追加ノイズの発生を回避するために部分的に配列される。工業規格が命令するように、プラグは、かなり大きなノイズを封じ込める。最大ノイズが差動対１４２，１４４の間に生ずる。この対の組合せが最大ノイズを有するので、電線接続コンタクトパターン１５４は、電線対３／６及び４／５を互いに分離する。図４を参照すると、電線接続コンタクト孔１７０，１７２は電線対３／６に相互接続された電線接続コンタクト１１３を受容し、電線接続コンタクト孔１７４，１７６は電線対４／５に相互接続された電線接続コンタクト１１３を受容する。電線接続コンタクト孔１７０，１７２は上部１６６の一コーナーに配置されるのに対し、電線接続コンタクト孔１７４，１７６は下部１６８の反対側のコーナーに配置され、第２差動対及び第３差動対を互いに分離する。換言すると、第２差動対及び第３差動対は、回路基板１４８上で互いに遠く離れて配置される。
【００２６】
電線接続コンタクトパターン１５４はまた、ケーブルのリセプタクル組立体１００への接続の容易さを考慮する。ＲＪ−４５用の工業規格により決定される２つの色スキームは５８６Ａ及び５８６Ｂと称され、ピン番号をケーブルの電線の色に合致させる。２組の電線対は典型的に指定された特定色であり、従って、ケーブル内では電線対４／５は青色であり、電線対７／８は茶色である。パターン５８６Ａについては、電線対１／２は緑色であり、電線対３／６は橙色である。或いは、パターン５８６Ｂについては、電線対１／２は橙色であり、電線対３／６は緑色である。別の考慮は、ケーブル外被内の電線の方向性に関する。業界では要求されないが、共通の電線色のブレイクアウトは、ケーブルのどちらの端部が見えるかに依存して時計回り（ＣＷ）又は反時計回り（ＣＣＷ）に回転する青色−橙色−緑色−茶色である。従って、現れる可能性がある４つの主パターンがある。Ａパターン及びＣＣＷ、Ａパターン及びＣＷ、Ｂパターン及びＣＣＷ、Ｂパターン及びＣＷである。電線接続コンタクトパターン１５４は、可能である取付けの容易性の結果となるケーブルの自然な方向性内で電線対を交替又はクロスオーバーすることを要することなく、これら４つの主パターンうちの１主パターンがジャックに直接合致するように選択された。本実施形態用に選択されたパターンは、Ｂパターン及びＣＣＷである。
【００２７】
産業に対応しながら、電線接続コンタクトパターン１５４は、ノイズの多い対を分離することにより性能をさらに改善する。電線対４／５は青色であり、電線接続コンタクト孔１７４，１７６に対応する。電線対３／６は、電線接続コンタクト孔１７４，１７６に対して回路基板１４８の反対側のコーナーに位置する電線接続コンタクト孔１７０，１７２に対応する。電線３／６は緑色又は橙色のいずれかであってもよい。従って、一実施形態において、電線対１／２は橙色であり且つ電線接続コンタクト孔１７８，１８０に対応するのに対し、電線対３／６は緑色であり且つ電線接続コンタクト孔１７０，１７２に対応する。別の実施形態において、電線対１／２は緑色であってもよいのに対し、電線対３／６は橙色であってもよい。
【００２８】
コンタクトエントリーパターン１５３を説明する。上述したように、ＲＪ−４５プラグにおいて、４つの差動対のうちの１つは、他方の周囲で分離されている。工業規格は、分離した対を要求し、プラグにどの程度のノイズが生ずる必要があるのかを指示する。最大のクロストークの程度はこれら２対の間に生ずるが、他の対の組合せも、小さくないクロストークを示す。これは部分的には、プラグの大きな平行なブレードのためであり、時には、プラグ内に処理されると電線の平行特性のためである。従って、リセプタクル組立体１００内の補償による等のリセプタクル組立体１００のこのノイズを弱めることが望ましいので、嵌合後のコネクタ（一緒に結合したプラグ及びリセプタクル組立体１００）は、プラグ単独よりもノイズ量がかなり小さい。
【００２９】
図８は、コンタクトエントリーパターン１５３内でのコンタクト孔１８８，１９０，１９２，１９４，１９６，１９８，２００，２０２間の関係及びコンタクト孔１８８，１９０，１９２，１９４，１９６，１９８，２００，２０２のグループ分けを示す。コンタクト孔１８８，１９０，１９２，１９４，１９６，１９８，２００，２０２の各々は、中心２６２を有する。円及び直線は、コンタクト孔１８８，１９０，１９２，１９４，１９６，１９８，２００，２０２の中心２６２間の関係、距離を示すために使用されるので、円及び直線自体はコンタクトエントリーパターン１５３の一部を構成しない。
【００３０】
第１グループ２３０は、三角形のレイアウトに配置されたコンタクト孔１８８，１９２，１９６を含む。1.02mm（0.04インチ）の最小直径を有してもよい円２３２は、各コンタクト孔１８８，１９２，１９６の中心２６２を捕らえる。一実施形態において、円２３２は2.08mm（0.082インチ）の直径を有してもよい。任意であるが、円２３２は、3.56mm（0.140インチ）までの直径を有してもよい。第２グループ２３４は、三角形のレイアウトに配置されたコンタクト孔１９４，１９８，２０２を含む。円２３６は、各コンタクト孔１９４，１９８，２０２の中心２６２を捕らえ、1.02〜3.56mm（0.04〜0.140インチ）の直径を有してもよい。
【００３１】
図６を再び参照して、コンタクトエントリーパターン１５３をさらに説明する。平面２２０は図８に指示されている。第１サブセット２５４はコンタクト孔２００，１９６，１８８を有し、各々の中心２６２は平面２２０からの距離Ｄ１である。第２サブセット２５６はコンタクト孔１９２を有し、その中心２６２は平面２２０からの距離Ｄ２である。第３サブセット２５８はコンタクト孔１９８を有し、その中心２６２は平面２２０からの距離Ｄ３である。第４サブセット２６０はコンタクト孔２０２，１９４，１９０を有し、各々の中心２６２は平面２２０からの距離Ｄ４である。上述したように、距離Ｄ１及びＤ４は互いに等しく、距離Ｄ２及びＤ３は互いに等しい。
【００３２】
上述したように、プラグ内の８本の平行なブレードは、クロストークを経験する。第２差動対（ブレード３／６）及び第３差動対（ブレード４／５）に関し、ブレード３，４及びブレード５，６は、互いに近接しているため、最大レベルのノイズを有する。対応して、リセプタクル組立体１００において、アレーコンタクト１２８，１３０及びアレーコンタクト１３２，１３４は、互いに近接しているため、より高いレベルのノイズを経験する。より高いレベルのノイズを経験するコンタクトの組を分離することが望ましい。このため、アレーコンタクト１２８，１３０は互いに離れて配置されるコンタクト孔１９２，１９４にそれぞれ受容され、アレーコンタクト１３２，１３４は互いに離れて配置されるコンタクト孔１９６，１９８にそれぞれ受容される。図８において、直線２４６はコンタクト孔１９２，１９４の中心２６２間に延び、直線２４８はコンタクト孔１９６，１９８の中心２６２間に延び、3.05〜5.08mm（0.120〜0.20インチ）であってもよい、各コンタクト孔の中心２６２間の距離を示す。一実施形態において、距離は4.06mm（0.160インチ）であってもよい。
【００３３】
リセプタクル組立体１００のノイズは、他のアレーコンタクトを互いに近接して配置することにより、補償を介してさらに弱めてもよい。アレーコンタクト１２８，１３２は互いに近接して配置されるコンタクト孔１９２，１９６にそれぞれ受容され、アレーコンタクト１３０，１３４は互いに近接して配置されるコンタクト孔１９４，１９８にそれぞれ受容される。図８において、直線２３８はコンタクト孔１９２，１９６の中心２６２間に延び、直線２４０はコンタクト孔１９４，１９８の中心２６２間に延び、0.51〜2.54mm（0.02〜0.100インチ）であってもよい、各コンタクト孔の中心２６２間の距離を示す。一実施形態において、距離は1.63mm（0.064インチ）であってもよい。
【００３４】
差動対のうちの３つは、プラグの２次レベルのノイズすなわち第２段のクロストークを経験する。第２差動対（ブレード３／６）は、分離した対であるので、プラグ内での近接により第１差動対（ブレード１／２）及び第４差動対（ブレード７／８）と共に高いレベルのノイズを経験する。
【００３５】
高いレベルのノイズを経験する信号を分離するために、アレーコンタクト１２６，１２８は互いに離れて配置されるコンタクト孔１９０，１９２にそれぞれ受容され、アレーコンタクト１３４，１３６は互いに離れて配置されるコンタクト孔１９８，２００にそれぞれ受容される。図８において、直線２５０はコンタクト孔１９０，１９２の中心２６２間に延び、直線２５２はコンタクト孔１９０，２００の中心２６２間に延び、3.05〜5.08mm（0.120〜0.20インチ）であってもよい、各コンタクト孔の中心２６２間の距離を示す。同様に、信号を結合してＲＪ−４５プラグに生ずるクロストークを弱めるために、アレーコンタクト１２４，１２８を受容するコンタクト孔１８８，１９２、及びアレーコンタクト１３４，１３８を受容するコンタクト孔１９８，２０２はそれぞれ、回路基板１４８上に互いにより近接して配置される。図８において、直線２４２はコンタクト孔１８８，１９２の中心２６２間に延び、直線２４４はコンタクト孔１９８，２０２の中心２６２間に延び、0.51〜2.54mm（0.02〜0.100インチ）であってもよい、各コンタクト孔の中心２６２間の距離を示す。
【００３６】
ジャック及びリセプタクル組立体１００の至るところに生ずるリターンロスもまた、考慮される。差動対の２本のピン（又はコンタクト又は電線）に送られる信号は、導体の断面、導体間の空間、及び１対の２本の導体を分離する誘電定数の少なくとも一つに基づくインピーダンスを有する。第１差動対１４０、第３差動対１４４及び第４差動対１４６の隣接するアレーコンタクトは、ほぼ同じ形状を有し、リセプタクル組立体１００内で互いに接近し、所望よりも低い各対のアレーコンタクト間のインピーダンスという結果になる。インピーダンスを増大させて100オーム等の目標インピーダンスに整合させることにより、リターンロスが改善される。従って、第４差動対のアレーコンタクト１３６，１３８をそれぞれ受容するコンタクト孔２００，２０２は、第１差動対のアレーコンタクト１２４，１２６をそれぞれ受容するコンタクト孔１８８，１９０及び第３差動対のアレーコンタクト１３０，１３２をそれぞれ受容するコンタクト孔１９４，１９６と同様に、互いに対してより離間して配置される。差動対のコンタクト孔間の距離は、インピーダンスを増加させるよう増大させて、より有利なリターンロスを与えてもよい。
【００３７】
種々の具体的実施形態により本発明を説明したが、当業者であれば、本発明は、本発明の真髄及び範囲内で変形させて実施することができることを理解されよう。
【図面の簡単な説明】
【００３８】
【図１】本発明の一実施形態に従ったアウトレットタイプのリセプタクル組立体を示す斜視図である。
【図２】ハウジングを除いた状態の図１のリセプタクル組立体を示す斜視図である。
【図３】図１のリセプタクル組立体内の副組立体を前側から見た斜視図である。
【図４】図２の回路基板を示す正面図である。
【図５】本発明の一実施形態に従って形成されたコンタクトアレーを後側から見た斜視図である。
【図６】図５のコンタクトアレーの側面図である。
【図７】図２の副組立体を後側から見た斜視図である。
【図８】本発明の一実施形態に従ったコンタクトエントリーパターンを示す図である。
【符号の説明】
【００３９】
１０２  前端
１０４  後端
１０６  コンタクトアレー
１０８  ハウジング
１１３  電線接続コンタクト
１２４，１２６，１２８，１３０，１３２，１３４，１３６，１３８  アレーコンタクト
１４０  第１差動対
１４２  第２差動対
１４４  第３差動対
１４６  第４差動対
１４８  回路基板
１６０  上端
１６２  下端
１６４  中央部
１７０，１７２，１７４，１７６，１７８，１８０，１８２，１８４  電線接続コンタクト孔
１８６  外縁（第１側）
１８７  外縁（第２側）
１８８，１９０，１９２，１９４，１９６，１９８，２００，２０２  コンタクト孔
２１６  コンタクトテール部
２１８  本体部
２２２  第２テール副部分
２２４  第１曲げ部
２２８  第１テール副部分
２３０  第１グループ
２３４  第２グループ
２６２  中心
Ａ      第１方向
Ｂ      第２方向
Ｄ１    第１距離
Ｄ２    第２距離
【図１】
2009529764.tif 000003
【図２】
2009529764.tif 000004
【図３】
2009529764.tif 000005
【図４】
2009529764.tif 000006
【図５】
2009529764.tif 000007
【図６】
2009529764.tif 000008
【図７】
2009529764.tif 000009
【図８】
2009529764.tif 000010
【国際調査報告】
2009529764.tif 000011
2009529764.tif 000012